(57)【特許請求の範囲】
【請求項１】
枠体内に進退可能に設置した上方開放の洗浄槽と、この洗浄槽を枠体内に押し入れた状態でシール天板と前記洗浄槽の上端との間に位置する中空パッキングと、前記中空パッキングを給排気する給気手段および排気手段と、前記洗浄槽内に給排水する手段と、洗浄槽内に洗浄液を噴射して食器を洗浄するノズルと、これらを制御する制御装置を備えた食器洗い機において、
前記制御装置は、食器洗い機の運転中は所定の時間間隔で中空パッキングへ空気を補給するように給気手段を運転すると共に、前記所定の時間間隔内であっても前記洗浄槽への給水を完了したときには前記中空パッキングへ空気を補給するように給気手段を運転することを特徴とする食器洗い機。
【請求項２】
請求項１において、前記給気手段は、中空パッキングおよび給排気パイプ自体とその接続部の耐圧以下の最大給気能力のエアポンプを使用し、前記制御装置は、中空パッキングへの給気制御をエアポンプ運転時間管理で実行することを特徴とする食器洗い機。
【請求項３】
請求項１において、前記制御装置は、空気補給の運転時間を運転スタート時の給気運転時間より短くしたことを特徴とする食器洗い機。
【発明の詳細な説明】
【０００１】
【発明の属する技術分野】
本発明は、食器洗い機に関する。
【０００２】
【従来の技術】
枠体内に進退可能に設置した上方開放の洗浄槽を該枠体内に押し入れた状態でシール天板と該洗浄槽の上端との間に位置する中空パッキングに給気して該中空パッキングを膨らませて該洗浄槽とシール天板の間をシールする食器洗い機が提案されている。
【０００３】
【発明が解決しようとする課題】
このような食器洗い機は、洗浄運転の時間経過に伴って中空パッキング内の空気が漏れたり、給水による冷却で中空パッキングの温度が低下して内圧が低下することによって該中空パッキングが萎むことによりシール性能が低下することから、中空パッキング内の空気圧を圧力センサによって常に監視して所定の圧力に維持するように補給運転することが望ましい。しかしながら、そのためには、中空パッキング内の空気圧を正確に検出することができる高価な圧力センサが必要であり、コスト高になる。
本発明の目的は、簡単な構成で中空パッキングによるシール性能を好ましい状態に維持することができる食器洗い機を提案することにある。特に、給水による冷却で中空パッキングの温度が低下して内圧が低下することによるシール性能の低下を防止することができるようにすることにある。
【０００４】
【課題を解決するための手段】
本発明は、枠体内に進退可能に設置した上方開放の洗浄槽と、この洗浄槽を枠体内に押し入れた状態でシール天板と前記洗浄槽の上端との間に位置する中空パッキングと、前記中空パッキングを給排気する給気手段および排気手段と、前記洗浄槽内に給排水する手段と、洗浄槽内に洗浄液を噴射して食器を洗浄するノズルと、これらを制御する制御装置を備えた食器洗い機において、前記前記制御装置は、食器洗い機の運転中は所定の時間間隔で中空パッキングへ空気を補給するように給気手段を運転すると共に、前記所定の時間間隔内であっても前記洗浄槽への給水を完了したときには前記中空パッキングへ空気を補給するように給気手段を運転することを特徴とする。
【０００５】
【発明の実施の形態】
以下、本発明の実施の形態を図面を参照して説明する。
図１は、システムキッチンに組み込んだ食器洗い機の斜視図である。この実施の形態における食器洗い機は、２つの食器洗浄槽ユニット１００，２００を上下２段に積み重ねるように組み合わせた状態でシステムキッチン３００に組み込んだ設置形態である。
【０００６】
２つの食器洗浄槽ユニット１００，２００は、その殆どを同一構成にしているので、共通する構成については上段に位置する食器洗浄槽ユニット１００を例示して構成を説明する。
【０００７】
食器洗浄槽ユニット１００は、引き出し式の洗浄槽１０１を枠体を構成するケース１０２内に進退可能に収容し、引き出した状態で食器の出し入れや洗剤投入を行い、押し入れた状態で洗浄（洗い，すすぎ，乾燥）を行う。洗浄槽１０１の前側面に設けた前面パネル１０３は、この前面パネル１０３の前縁側面に設けた操作パネル１０４と上端面に設けた操作パネル１０５を備える。
【０００８】
２つの食器洗浄槽ユニット１００，２００の上下２段の積み重ねは、下段の食器洗浄槽ユニット２００のケース１０２の上端面に上段の食器洗浄槽ユニット１００のケース１０２の下端面を当接するように組み合わせて結合するように行う。
【０００９】
食器洗浄槽ユニット１００の全体的な構造を図２〜図５を参照して説明する。
食器を収納する洗浄槽１０１は、樹脂成型によって上側を開放した箱型形状に形成する。この洗浄槽１０１の底壁の外側には偏平なブラシレスモータ１０６を取り付け、このブラシレスモータ１０６の回転軸の内端部は、洗浄槽１０１の底壁を貫通させて洗浄槽１０１内に突出させ、洗浄ポンプ羽根１０７を嵌着する。洗浄槽１０１の底壁のブラシレスモータ取付け部の周囲は、低くして水溜部１０８を形成し、底壁との間に前記洗浄ポンプ羽根１０７の吸い込み通路を構成する間隙を介在させて取り付けた洗浄液吸込ガイド１０９を設け、洗浄ポンプ羽根１０７の吸引力を水溜部１０８内の洗浄液に効率良く作用させることができるように構成する。ノズルアーム１１０は、その中央部に形成した受水口１１０ａが前記洗浄ポンプ羽根１０７の吐出口を包囲して該洗浄ポンプ羽根１０７から吐出する洗浄液を受け入れるように、前記洗浄液吸込ガイド１０９に回転自在に嵌着する。ノズルアーム１１０は、洗浄ポンプ羽根１０７から受け入れた洗浄液を該ノズルアーム１１０の上面に設けた洗浄噴射穴１１０ｂから斜め上向きに噴射し、洗浄ポンプ羽根１０７から受け入れる洗浄液の流れと噴射の反力で回転する。
【００１０】
洗浄液吸込ガイド１０９とノズルアーム１１０の間には、洗浄槽１０１の底部を上下に仕切る濾過網目付きの仕切り板１１１を設置し、この仕切り板１１の一角には残渣入れフィルタ１１２を着脱自在に取り付け、更に、この仕切り板１１１の裏側（下側）に概略環状のシーズヒータ１１３を設置する。
【００１１】
ブラシレスモータ１０６の回転軸の外端部には、排水ポンプ羽根１１４を嵌着し、この排水ポンプ羽根１１４を包囲する排水ポンプケース１１５を取り付ける。この排水ポンプケース１１５には、前記洗浄槽１０１の底部に接続する吸水口１１５ａと、排水ホース１１６に接続する排水口１１５ｂと、洗浄槽１０１内に開口するように空気抜ホース１１７を接続する空気抜口１１５ｃを設ける。
【００１２】
前記排水ポンプ羽根１１５は、ブラシレスモータ１０６を正回転（洗浄モード）させたときには排水ポンプ機能を発揮せず、逆回転（排水モード）させたときに排水ポンプ機能を発揮するように構成する。
【００１３】
洗浄槽１０１の前側壁の外側には、乾燥用の空気を洗浄槽１０１内に吹き込む乾燥給気ファン１１８を設置し、乾燥空気を送風カバー１１９を介して洗浄槽１０１の底部に吹き込んで循環させる。洗浄槽１０１内の湿潤空気は、側壁に形成した排気穴１０１ａから排気する。
【００１４】
洗浄槽１０１の前側壁の外側を覆う前面パネル１０３は、その内側に制御処理装置１２０を実装し、洗浄槽１０１の前両端の取り付けフランジ１０１ｂにねじ止めされる前面パネル基板１２１と、前面パネル基板１２１の上縁に取り付けられる操作パネル基板１２２と、前面パネル基板１２１の両側縁と下縁に取り付けられて前面パネル基板１２１の前側に化粧パネル（図示省略）を前記操作パネル基板１２２と協同して挟持する支持枠１２３を備える。操作パネル基板１２２は、前記操作パネル１０４，１０５および排気窓１２４を備える。この排気窓１２４と前記排気穴１０１ａは、洗浄槽１０１の側面に排気穴１０１ａを包囲するようにパッキングを介して気密状態に取り付けた排気カバー１２５と、この排気カバー１２５と連通するように洗浄槽１０１の前面に形成した排気通路１０１ｃと、連結ダクト１２６を介して連通させる。この排気穴１０１ａから排気窓１２３までの排気通路は、通路の壁面に結露した水滴が排気穴１０１ａから洗浄槽１０１内に流れ込むように排気穴１０１ａ側が順次に低くなるように構成する。
【００１５】
このように構成した洗浄槽１０１の下側は、下カバー１２７を取り付けて覆う。
【００１６】
また、洗浄槽１０１内には、ノズルアーム１１０の上方に位置するように食器載置かご１２８を設置する。この食器載置かご１２８は、下段に位置する食器洗浄槽ユニット２００では、食器載置かごと調理器具載置かごを選択的に設置することができるように構成する。食器載置かごは、図６に示すように、茶碗や皿やコップ等の食器を載置するのに好適な形態に構成し、調理器具載置かごは、図７に示すように、フライパンや鍋やボール等の調理器具と食器を並べて載置するのに好適な形態に構成する。
【００１７】
また、洗浄槽１０１の上縁の全周には、中空パッキング１２９を当接してシールするためのパッキング当接鍔１０１ｄを形成する。
【００１８】
このように構成した洗浄槽１０１の両外側面には、ケース１０２内に進退可能に設置するためのスライドレール１３０とローラ１３１を取り付ける。
【００１９】
ケース１０２は、前後方向と上方向を開放するように略Ｕ字形状に鋼板を折り曲げて形成し、両上端開放縁を内側に折り曲げて庇１０２ａを形成する。そして、上側開放面は、庇１０２ａの内側（庇１０２ａの下面）にシール天板１３２の端縁部の上面を当接してねじ止めすることにより閉じる。また、後側の開放辺の上部は、上端縁を内側に折り曲げて庇１３３ａを形成した鋼板製の補助当て板１３３を外側から押し当てて押え込むようにケース１０２およびシール天板１３２にねじ止めして補強する。この実施の形態における枠体は、このように、主として、ケース１０２とシール天板１３２と補助当て板１３３を結合して構成する。
【００２０】
下段の食器洗浄槽ユニット２００では、ケース１０２の庇１０２ａと補助当て板１３３の庇１３３ａは、上段の食器洗浄槽ユニット１００を積み重ねて結合するときに該上段の食器洗浄槽ユニット１００のケース１０２の下端面を載置する当接面としても機能させる。
【００２１】
このケース１０２の両側内面には、洗浄槽１０１のスライドレール１３０およびローラ１３１と組み合わせる固定レール１３４とローラ１３５を取り付ける。
【００２２】
また、このケース１０２の両側面の上縁部と下縁部には、連結板当接座１０２ｂ，１０２ｃを形成する。この連結板当接座１０２ｂ，１０２ｃは、２つの食器洗浄槽ユニット１００，２００を上下に積み重ねて２段構造の食器洗い機を構成するときに、下段の食器洗浄槽ユニット２００のケース１０２の上縁部の連結板当接座１０２ｂと上段の食器洗浄槽ユニット１００のケース１０２の下縁部の連結板当接座１０２ｃに渡る連結板１３６を当接してねじ止めすることにより上下のケース１０２を連結するように使用する。
【００２３】
更に、このケース１０２の左右の前縁は、補強枠１３７を当接してねじ止めして補強および目隠しし、底面の四隅には、高さ調整用のねじ脚１３８を嵌着する脚取り付け穴１０２ｄを設ける。
【００２４】
洗浄槽１０１からの漏水防止用シールは、図５，図８〜図１０に示すように、両横端縁部がケース１０２の庇１０２ａで押えられ、後端縁部が補助当て板１３３の庇１３３ａで押えられ、前端面にねじ止めして前端縁部の上面に当接した補助当て板１３９で補強されたシール天板１３２の外周縁部の内側（下面）に洗浄槽１０１の上端全周に形成したパッキン当接鍔１０１ｄに対向するように環状の中空パッキング１２９を設け、エアポンプユニット１４０から給排気ホース１４１を介して中空パッキング１２９に加圧空気を送って膨らませることにより膨らんだパッキング１２９を洗浄槽１０１のパッキング当接鍔１０１ｄとシール天板１３２の間に弾性的に当接（弾着）させて安定したシールを実現する。
【００２５】
シール天板１３２は、樹脂成型によって形成し、外周縁部の内側には、環状のパッキング収納溝１３２ａを下向きに開放するように形成し、このパッキング収納溝１３２ａの底には、中空パッキング１２９の上側壁に突設した弾着部１２９ａを嵌着して取り付ける取り付け溝１３２ｂと、シール天板１３２の後縁部に位置する中空パッキング１２９の上側壁に形成した給排気口１２９ｃを露出させる給排気口窓１３２ｃを設ける。この給排気口窓１３２ｃの上側部には、シール天板１３２の端面に開放する横向きの継ぎ手溝１３２ｄを連設する。中空パッキング１２９の給排気口１２９ｃに対する給排気ホース１４１の接続は、Ｌ字状の継ぎ手１４３の一辺を前記給排気口１２９ｃに差し込んで中空パッキング１２９に接続し、他辺を給排気ホース１１４に差し込んで実現する。この接続は、継ぎ手１４３，給排気ホース１４１を給排気口窓１３２ｃと継ぎ手溝１３２ｄ内に収容するように配置して実現し、シール天板１３２の上面に継ぎ手１４３と給排気ホース１４１が突出しないように構成する。
【００２６】
ケース１０２の庇１０２ａ，補助当て板１３３の庇１３３ａおよび補助当て板１３９は、シール天板１３２の周縁部の前記パッキング収納溝１３２ａをその下側に位置させるように該シール天板１３２の周縁の上面に伸びていることから、中空パッキング１２９が膨張して洗浄槽１０１のパッキング当接鍔１０１ｄに弾着（圧接）したときの反力でシール天板１３２が浮き上がるのを押えて確実なシールを実現するように作用する。また、ケース１０２の上部側壁と庇１０２ａと補助当て板１３３の上部側壁と庇１３３ａおよび補助当て板１３９は、Ｌ型鋼材と同様に機能するので、シール天板１３２をこれらの下面に当接してねじ止め結合する構成は、シール天板１３２の歪みを矯正するように機能し、また、シール天板１３２は、ケース１０２の開放部の倒れ防止部材として機能することになる。
【００２７】
このような食器洗浄槽ユニットを上下２段に積み重ねて構成した食器洗い機における食器洗浄槽ユニット１００，２００の各洗浄槽１０１への給水制御は、図１１および図１２に示すように、上段の食器洗浄槽ユニット１００のケース１０２の後側にねじ止めした補助当て板１３３に取り付けた２連給水電磁弁ユニット１４４によって行うように構成する。
【００２８】
この２連給水電磁弁ユニット１４４は、受水口１４４ａに水道接続ホース１４５を接続し、第１の給水電磁弁１４４ｂから槽給水ホース１４６を介して上段の洗浄槽１０１の下部に給水し、第２の給水電磁弁１４４ｃから中継ホース１４７を介して下段の食器洗浄槽ユニット２００のケース１０２の後側にねじ止めした補助当て板１３３に取り付けた中継継ぎ手１４８に給水し、更にこの中継継ぎ手１４８から槽給水ホース１４９を介して下段の洗浄槽１０１の下部に給水するように構成する。このように各給水電磁弁１４４ｂ，１４４ｃを両洗浄槽１０１に対して高く位置するように上段の食器洗浄槽ユニット１００のケース１０２の補助当て板１３３に設置する構成は、各洗浄槽１０１内の洗浄液が槽給水ホース１４６，１４９に逆流して残留することにより不衛生になるのを防止するように機能する。
【００２９】
これらの食器洗浄槽ユニット１００，２００は、図１３に示すような制御装置１５０を備える。この制御装置１５０は、上段の食器洗浄槽ユニット１００における従来のような食器洗浄制御を実行する制御系１５１と下段の食器洗浄槽ユニット２００における調理器具または食器洗浄制御を実行する制御系１５２を備える。各制御系１５１，１５２は、それぞれマイクロコンピュータ１５３，１５４を中心にして同様に構成するので、ここでは、制御系１５１について説明する。
【００３０】
マイクロコンピュータ１５３は、前記操作パネル１０４，１０５のスイッチである操作パネルスイッチ群１５５からの操作入力に従って、メモリ１５６に格納しているプログラムを実行して洗浄制御を実行する。マイクロコンピュータ１５３とメモリ１５６は、この実施の形態では、前記制御処理装置１２０を構成する。
【００３１】
マイクロコンピュータ１５３は、洗浄液の水位を感知する水位センサ１５７，ドアセンサ１５８，中空パッキング空気圧力センサ１５９，洗浄液の温度を感知する水温センサ１６０，ヒータ過熱センサ１６１からの検知信号を入力し、中空パッキング１２９への給気および排気を制御するエアポンプユニット１４０と、給水電磁弁１４４（１４４ｂ，１４４ｃ）と、前記シーズヒータ１１３と、前記ブラシレスモータ１０６と、前記乾燥給気ファン１１８と、前記操作パネル１０４，１０５に設けた表示器１６４とブザー１６５を制御する。
【００３２】
この実施の形態における前記中空パッキング空気圧力センサ１５９は、最低限の空気圧力になっているかどうか（エアポンプユニット１４０が正常に機能しているかどうか）を検出することができる程度の精度の構成であり、実際には、エアポンプユニット１４０に内蔵されているものを使用する。また、前記エアポンプユニット１４０は、図示説明は省略するが、エアポンプと排気電磁弁と前記中空パッキング空気圧力センサ１５９を備えた構成のものである。
【００３３】
図１４は、上段の食器洗浄槽ユニット１００の洗浄槽１０１に取り付けた操作パネル１０４と操作パネル１０５を示している。
【００３４】
操作パネル１０４は、電源スイッチ（ボタン）１５５ａとスタート／一時停止スイッチ（ボタン）１５５ｂとチャイルドロックスイッチ（ボタン）１５５ｃと表示素子群１６４ａを備える。操作パネル１０５は、コース設定スイッチ（ボタン）１５５ｄと乾燥なしスイッチ（ボタン）１５５ｅと予約スイッチ（ボタン）１５５ｆと表示素子群１６４ｂを備える。
【００３５】
図１５は、下段の食器洗浄槽ユニット２００の洗浄槽１０１に取り付けた操作パネル１０４と操作パネル１０５を示している。
【００３６】
操作パネル１０４は、電源スイッチ（ボタン）１５５ｇとスタート／一時停止スイッチ（ボタン）１５５ｈとチャイルドロックスイッチ（ボタン）１５５ｉと表示素子群１６４ｃを備える。操作パネル１０５は、コース設定スイッチ（ボタン）１５５ｊと乾燥なしスイッチ（ボタン）１５５ｋと表示素子群１６４ｄを備える。
【００３７】
上段の食器洗浄槽ユニット１００の制御系１５１におけるマイクロコンピュータ１５３は、図１６に示すような食器洗浄制御を実行する。
【００３８】
ステップＳ１１
電源スイッチ１５５ａが入力されると、操作パネル１０５のコース設定スイッチ１５５ｄからの入力に基づいてコース設定を行う。
【００３９】
ステップＳ１２
スタート／一時停止スイッチ１５５ｂが入力されると、給水電磁弁１４４ｂを開いて洗浄槽１０１内に所定水位までの給水を実行し、ブラシレスモータ１０６を正回転（洗浄モード）で運転して洗浄ポンプ羽根１０７を回転させることにより、洗浄槽１０１の水溜部１０８から洗浄液を吸い上げてノズルアーム１１０に供給し、洗浄噴射１１０ｂから食器載置かご１２８に向けて噴射して食器洗いや調理器具洗いを実行する。洗浄液は、必要に応じてシーズヒータ１１３に通電して加熱する。洗いが終了すると、ブラシレスモータ１０６を逆回転（排水モード）として排水ポンプ羽根１１４を機能させて洗浄槽１０１内の洗浄液を排水する。
【００４０】
ステップＳ１３
給水電磁弁１４４ｂを開いて洗浄槽１０１内に所定水位まですすぎ水を給水し、ブラシレスモータ１０６を制御して洗浄ポンプ羽根１０７を洗浄モードで回転させて水すすぎを行い、次いで、排水モードで回転させて排水する。
【００４１】
ステップＳ１４
給水電磁弁１４４ｂを開いて所定水位まですすぎ水を給水し、シーズヒータ１１３を通電してすすぎ水を加熱し、ブラシレスモータ１０６を制御して洗浄ポンプ羽根１０７を洗浄モードで回転させて温水すすぎを行い、次いで、排水モードで回転させて排水する。
【００４２】
ステップＳ１５
乾燥給気ファン１１８により洗浄槽１０１内に給気し、シーズヒータ１１３で加熱して温風乾燥を実行する。洗浄槽１０１内に供給された空気は、シーズヒータ１１３で加熱されながら洗浄槽１０１内を循環して食器，洗浄槽１０１，かご１２８，シール天板１３２等に付着している水滴，水分を蒸発させ、その一部を排気穴１０１ａから排気カバー１２５，排気通路１０１ｃ，連結ダクト１２６，排気窓１２４を経て機外に放出する。
【００４３】
乾燥の終盤は、シーズヒータ１１３を遮断して冷却運転する。
【００４４】
下段の食器洗浄槽ユニット２００の制御系１５２におけるマイクロコンピュータ１５４は、図１７に示すような調理器具洗浄制御を実行する。
【００４５】
ステップＳ２１
電源スイッチ１５５ｇが入力されると、調理器具洗いモードと食器洗いモードの何れの洗いモードに設定されているかを確認する。この洗いモードは、コース設定スイッチ１５５ｊによって予め設定されているものであり、ここでは、調理器具洗いモードに設定されているものとする。
【００４６】
ステップＳ２２
操作パネル１０５のコース設定スイッチ１５５ｊからの入力に基づいてコース設定を行う。
【００４７】
ステップＳ２３
スタート／一時停止スイッチ１５５ｈが入力されると、給水電磁弁１４４ｃを開いて洗浄槽１０１内に所定水位までの給水を実行し、上段の食器洗浄槽ユニット１００における洗浄が終了するまで待機する。待機期間中は、所定時間（この実施の形態では５分間）毎に洗浄液を噴射させて調理器具の汚れが乾燥して固着するのを防止する。
【００４８】
そして、上段の食器洗浄槽ユニット１００における洗浄が終了すると、シーズヒータ１１３に通電して洗浄液を加熱しつつブラシレスモータ１０６を正回転（洗浄モード）で間欠的に運転して洗浄ポンプ羽根１０７を間欠的に回転させることにより、洗浄槽１０１の水溜部１０８から洗浄液を吸い上げてノズルアーム１１０に供給し、洗浄噴射穴１１０ｂから食器載置かご１２８に向けて間欠的に噴射して調理器具洗いを実行する。
【００４９】
この洗浄液の間欠噴出は、調理器具洗浄のために多量に投入した洗剤による発泡現象を抑制するために、図１８に示すように、洗浄液の温度が発泡し易い温度状態にある間（この実施の形態では、４５℃未満）では、噴射時間を短く（この実施の形態では、２分間噴出／３分間停止）して繰り返し、それ以上の温度では、噴射時間を長く（この実施の形態では、３分間噴出／２分間停止）して繰り返す。所定の洗い時間（この実施の形態では、６０分間）を経過すると、洗浄液を排水して洗い工程を終了する。
【００５０】
洗いが終了すると、ブラシレスモータ１０６を逆回転（排水モード）として排水ポンプ羽根１１４を機能させて洗浄槽１０１内の洗浄液を排水する。
【００５１】
ステップＳ２４
給水電磁弁１４４ｃを開いて洗浄槽１０１内に所定水位まですすぎ水を給水し、ブラシレスモータ１０６を制御して洗浄ポンプ羽根１０７を洗浄モードで回転させて水すすぎを行い、排水モードで回転させて排水する。
【００５２】
ステップＳ２５
給水電磁弁１４４ｃを開いて洗浄槽１０１内に所定水位まですすぎ水を給水し、シーズヒータ１１３を通電してすすぎ水を加熱し、ブラシレスモータ１０６を制御して洗浄ポンプ羽根１０７を洗浄モードで回転させて温水すすぎを行い、排水モードで回転させて排水する。
【００５３】
ステップＳ２６
乾燥給気ファン１１８により給気し、シーズヒータ１１８で加熱して温風乾燥運転を行い、その後に冷却運転を実行する。
【００５４】
この下段の食器洗浄槽ユニット２００は、食器洗いモードに設定されると、制御系１５２は、前述した上段の食器洗浄槽ユニット１００の制御系１５１と同一の食器洗浄工程を行う制御処理を実行する。
【００５５】
従って、下段の食器洗浄槽ユニット２００における制御系１５２におけるマイクロコンピュータ１５４は、洗いモード設定情報を確認し、設定されている洗いモードに応じて調理器具洗いモードまたは食器洗いモードの洗浄制御処理を選択する。
【００５６】
何れの食器洗浄槽ユニット１００，２００においても洗い，すすぎ，乾燥工程では、ドアセンサ１５８をチェックして食器洗浄槽１０１がケース１０２内に押し入れられた状態にあることを確認することが必要であり、また、エアポンプユニット１４０を制御して中空パッキング１２９に給気することにより該中空パッキング１２９を膨らませてシールを行うことが必要である。この実施の形態におけるエアポンプユニット１４０は、中空パッキング１２９，給排気ホース１４１，継ぎ手１４３自体とその接続部の耐圧以下の最大給気能力のエアポンプを使用し、中空パッキング１２９によるシールに必要な給気制御をエアポンプ運転時間管理で実行する。
【００５７】
図１９は、マイクロコンピュータ１５３，１５４が実行する中空パッキング給気制御のフローチャートである。
【００５８】
ステップＳ３１
スタート／一時停止スイッチ１５５ｂ，１５５ｈの入力による運転スタート時かどうかを確認して処理を分岐する。
【００５９】
ステップＳ３２
運転スタートであればエアポンプユニット１４０内のエアポンプを運転して中空パッキング１２９に給気する。
【００６０】
ステップＳ３３
この運転スタート時の給気運転は、多量の給気が必要であるので長時間（この実施の形態では２０秒間）継続する。
【００６１】
ステップＳ３４
エアポンプユニット１４０内の圧力センサ１５９を確認して必要な給気が行われていることを確認する。
【００６２】
ステップＳ３５
前回の給気運転からの経過時間が所定時間かどうかを確認する。この所定時間は、洗浄運転中に空気漏れによって中空パッキング１２９が萎んでシール性能が低下するのを防止するために定期的に空気を補う給気（補給）運転間隔であり、この実施の形態では、２０秒間に設定している。
【００６３】
ステップＳ３６
所定時間を経過するとエアポンプユニット１４０内のエアポンプを運転して中空パッキング１２９に給気する。
【００６４】
ステップＳ３７
この給気運転は、空気漏れを補給するためのものであるので短時間（この実施の形態では５秒間）運転とする。
【００６５】
ステップＳ３８
エアポンプユニット１４０内の圧力センサ１５９を確認して給気が行われていることを確認する。
【００６６】
ステップＳ３９
経過時間が所定時間内であっても給水を行ったかどうかを確認する。給水すると洗浄槽１０１の温度が低下するので中空パッキング１２９も温度が低下して該中空パッキング１２９内の圧力が低下することから、給水完了時点でステップＳ３６に移ってエアポンプユニット１４０内のエアポンプを運転して中空パッキング１２９に空気を補給する。
【００６７】
この食器洗い機は、水や洗剤を使用して温水洗い，温水すすぎを行い、更に、温風乾燥を行うので、運転中は、洗浄槽１０１が引き出せないようにすること（チャイルドロック）が必要である。このチャイルドロックは、中空パッキング１２９が膨らんでパッキング当接鍔１０１ｄに圧接してシール状態となるように該中空パッキング１２９内の空気圧力を維持することにより簡単に実現できるように構成している。
【００６８】
図２０は、マイクロコンピュータ１５３，１５４が実行するチャイルドロックの設定および解除制御のフローチャートである。
【００６９】
ステップＳ４１
操作パネル１０４のチャイルドロックスイッチ１５５ｃ，１５５ｉのオン状態が所定時間（この実施の形態では３秒間）連続すると、チャイルドロック設定／解除処理を行う。
【００７０】
ステップＳ４２
既にチャイルドロックが設定されているかどうかを確認して処理を分岐する。チャイルドロック情報は、メモリ１５６のチャイルドロック情報領域に記憶する。
【００７１】
ステップＳ４３
メモリ１５６のチャイルドロック情報領域にチャイルドロックが設定されていないときには、チャイルドロック設定情報を生成する。
【００７２】
ステップＳ４４
メモリ１５６のチャイルドロック情報領域にチャイルドロックが設定されているときには、チャイルドロック解除情報を生成する。
【００７３】
ステップＳ４５
チャイルドロック設定情報または解除情報をメモリ１５６のチャイルドロック情報領域に記憶させる。
【００７４】
洗浄運転の途中で電源スイッチ１５５ａ，１５５ｇやスタート／一時停止スイッチ１５５ｂ，１５５ｈが押されたときの制御処理を図２１を参照して説明する。この操作は、通常、運転中止や洗浄する食器や調理器具を追加したり取り出すときに発生する。
【００７５】
ステップＳ５１
操作パネルスイッチ群１５５からの入力を監視する。
【００７６】
ステップＳ５２
入力された操作パネルスイッチ群１５５に対応した制御処理を実行する。
【００７７】
ステップＳ５３
チャイルドロック情報を確認して制御処理を分岐する。
【００７８】
ステップＳ５４
チャイルドロックが設定されていないときには、エアポンプユニット１４０内の排気電磁弁を開放して中空パッキング１２９内の空気を排気することにより該中空パッキング１２９を萎ませてシールを解除して洗浄槽１０１の引き出し操作を可能にする。チャイルドロックが設定されているときには、中空パッキング１２９内の空気を排気することなくシール状態を維持して洗浄槽１０１の引き出し操作を不可能（阻止）状態に維持する。
【００７９】
チャイルドロック設定状態で一時停止したときに洗浄槽１０１を引き出し可能状態にする制御処理を図２２を参照して説明する。
【００８０】
ステップＳ６１
予め定めた所定の操作パネルスイッチ群１５５、この実施の形態では操作パネル１０４のチャイルドロックスイッチ１５５ｃまたは１５５ｉと電源スイッチ１５５ａまたは１５５ｇの同時オン状態が所定時間（この実施の形態では３秒間）連続すると、設定されているチャイルドロックの一時解除処理（運転を再開するまでの解除）を行う。
【００８１】
ステップＳ６２
チャイルドロックが一時解除されるとエアポンプユニット１４０内の排気電磁弁を開放して中空パッキング１２９内の空気を排気することにより該中空パッキング１２９を萎ませてシールを解除して洗浄槽１０１の引き出し操作を可能にする。
【００８２】
一時停止状態から運転状態に復帰するときの中空パッキング１２９への給気制御処理について図２３を参照して説明する。この制御処理は、一時停止状態にあるときにスタート／一時停止スイッチ１５５ｂ，１５５ｈが入力されると実行する。
【００８３】
ステップＳ７１
チャイルドロック情報の設定と一時解除が行われたかどうかを確認して制御処理を分岐する。
【００８４】
ステップＳ７２
チャイルドロック情報が設定されておらず、または一時解除されているときには中空パッキング１２９を排気しているので、エアポンプユニット１４０内のエアポンプを運転して中空パッキング１２９に給気して該中空パッキング１２９を膨らませてシール状態に回復させる。
【００８５】
ステップＳ７３
一時停止時点に戻って食器洗浄運転を再開する。
【００８６】
【発明の効果】
本発明は、中空パッキングへの給気（補給）を所定の時間間隔で行うようにしているので、簡単な構成でシール性能を好ましい状態に維持することができる。
【００８７】
特に、給水を完了したときには中空パッキングへ空気を補給するようにしているので、給水による冷却で中空パッキングの温度が低下して内圧が低下することによるシール性能の低下を防止することができる。
【図面の簡単な説明】
【図１】本発明になる食器洗い機を組み込んだシステムキッチンの斜視図である。
【図２】本発明になる食器洗浄槽ユニットの縦断正面図である。
【図３】図２に示した食器洗浄槽ユニットの縦断側面図である。
【図４】本発明になる食器洗浄槽ユニットにおける洗浄槽周り分解斜視図である。
【図５】本発明になる食器洗浄槽ユニットにおけるケース周り分解斜視図である。
【図６】図１に示した食器洗い機の上段の食器洗浄槽ユニットを引き出した状態を示す平面図である。
【図７】図１に示した食器洗い機の下段の食器洗浄槽ユニットを引き出した状態を示す平面図である。
【図８】洗浄槽からの漏水防止用シール部を拡大して示す縦断正面図である。
【図９】洗浄槽からの漏水防止用シール部の給排気接続部を拡大して示す縦断側面図である。
【図１０】図９に示した漏水防止用シール部の給排気接続部の平面図である。
【図１１】本発明になる食器洗い機の給水系を示す側面図である。
【図１２】本発明になる食器洗い機の給水系を示す背面図である。
【図１３】本発明になる食器洗い機の制御装置のブロック図である。
【図１４】本発明になる食器洗い機の上段の食器洗浄槽ユニットにおける操作パネルの展開図である。
【図１５】本発明になる食器洗い機の下段の食器洗浄槽ユニットにおける操作パネルの展開図である。
【図１６】本発明になる食器洗い機の上段の食器洗浄槽ユニットにおけるマイクロコンピュータが実行する食器洗浄制御処理のフローチャートである。
【図１７】本発明になる食器洗い機の下段の食器洗浄槽ユニットにおけるマイクロコンピュータが実行する食器洗浄制御処理のフローチャートである。
【図１８】本発明になる食器洗い機の制御装置が調理器具洗浄制御において実行する発泡防止制御の特性図である。
【図１９】本発明になる食器洗い機におけるマイクロコンピュータが実行する中空パッキング給気制御処理のフローチャートである。
【図２０】本発明になる食器洗い機におけるマイクロコンピュータが実行するチャイルドロックの設定および解除制御処理のフローチャートである。
【図２１】本発明になる食器洗い機におけるマイクロコンピュータが実行する一時停止制御処理のフローチャートである。
【図２２】本発明になる食器洗い機におけるマイクロコンピュータが実行するチャイルドロック一時解除制御処理のフローチャートである。
【図２３】本発明になる食器洗い機におけるマイクロコンピュータが実行する運転復帰制御処理のフローチャートである。
【符号の説明】
１００…上段の食器洗浄槽ユニット、１０１…洗浄槽、１０１ａ…排気穴、１０１ｄ…パッキング当接鍔、１０２…ケース、１０２ａ…庇、１１０…ノズルアーム、１２５…排気カバー、１２９…中空パッキング、１２９ｃ…給排気口、１３２…シール天板、１３２ｃ…給排気口窓、１３２ｄ…継ぎ手溝、１３３…補助当て板、１３３ａ…庇、１４０…エアポンプユニット、１４１…給排気ホース、１４３…継ぎ手、１４４…２連給水電磁弁ユニット、１４４ｂ，１４４ｃ…給水電磁弁、１５０…制御装置、１５３，１５４…マイクロコンピュータ、１５５ｂ，１５５ｈ…スタート／一時停止スイッチ（ボタン）、１５５ｃ，１５５ｉ…チャイルドロックスイッチ（ボタン）、２００…下段の食器洗浄槽ユニット。
【図１】
0003785358.tif 000002
【図２】
0003785358.tif 000003
【図３】
0003785358.tif 000004
【図４】
0003785358.tif 000005
【図５】
0003785358.tif 000006
【図６】
0003785358.tif 000007
【図７】
0003785358.tif 000008
【図８】
0003785358.tif 000009
【図９】
0003785358.tif 000010
【図１０】
0003785358.tif 000011
【図１１】
0003785358.tif 000012
【図１２】
0003785358.tif 000013
【図１３】
0003785358.tif 000014
【図１４】
0003785358.tif 000015
【図１５】
0003785358.tif 000016
【図１６】
0003785358.tif 000017
【図１７】
0003785358.tif 000018
【図１８】
0003785358.tif 000019
【図１９】
0003785358.tif 000020
【図２０】
0003785358.tif 000021
【図２１】
0003785358.tif 000022
【図２２】
0003785358.tif 000023
【図２３】
0003785358.tif 000024